【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  第１の光軸に沿った被写体からの光束を第１の光軸に交差する第２の光軸に沿うように反射させる反射光学部材と、
上記反射光学部材を保持する第１の保持枠と、
上記第２の光軸に沿って配置される複数のレンズ群と、
上記複数のレンズ群のうちのーつのレンズ群を保持する第２の保持枠と、
上記第２の保持枠を上記第２の光軸に沿って移動可能に内包し、上記第１の保持枠が固定される枠部材と、
上記第２の保持枠を駆動するための駆動源であって、上記第１の光軸と上記第２の光軸とにより形成される光軸面と略平行に形成された上記枠部材の第１の外壁に沿うように固定される駆動源と、
上記光軸面に略直交し、上記第１の外壁に隣接して形成された上記枠部材の第２の外壁に配され、上記第２の保持枠の位置を検出するための検出手段と、
を具備することを特徴とするレンズ鏡筒。
【請求項２】  さらに、上記駆動源に設けられた端子と、
上記検出手段に設けられ電気的な接続を取るための接続部と、
を具備し、上記検出手段の接続部は、上記枠部材の外面側に位置して配されており、上記第１の外壁と第２の外壁の一部を覆うように配されるフレキシブルプリント基板に対して上記端子と上記検出手段の接続部とが接続されることを特徴とする請求項１に記載のレンズ鏡筒。
【請求項３】  さらに、開口部を開閉するためのシャッタ手段と、
上記シャッタ手段を駆動するためのシャッタ用駆動源と、
を具備し、上記シャッタ用駆動源は、上記フレキシブルプリント基板に接続されることを特徴とする請求項２に記載のレンズ鏡筒。
【請求項４】  上記シャッタ用駆動源は、上記第２の光軸に対して上記駆動源が配される側に配されることを特徴とする請求項３に記載のレンズ鏡筒。
【請求項５】  上記枠部材は、略直方体形状であって、上記第１の外壁は、該直方体形状の厚み方向に延出する外壁であることを特徴とする請求項１乃至４のいずれか一つに記載のレンズ鏡筒。
【請求項６】  略直方体形状に形成されたレンズ鏡筒であって、
上記レンズ鏡筒の厚み方向である第１の光軸に沿って入射した被写体光を上記第１の光軸に交差し、かつ、上記レンズ鏡筒の長手方向に沿った第２の光軸に向けて反射する反射光学部材と、
上記反射光学部材を保持する第１の保持枠と、
上記第２の光軸に沿って配置される複数のレンズ群と、
上記複数のレンズ群のうちの一つのレンズ群を保持する第１の可動保持枠と、
上記複数のレンズ群のうちの他の一つのレンズ群を保持する第２の可動保持枠と、
略直方体形状に形成され、上記第１、第２の可動保持枠を上記第２の光軸に沿ってそれぞれ移動可能に内包する枠部材と、
上記第１の可動保持枠を駆動するためのものであって、上記第１の光軸と第２の光軸とにより形成される光軸面と略平行に形成された上記枠部材の第１の外壁に沿うように固定され、駆動部と該駆動部からの出力を受けて回転するシャフトとを有する第１の可動保持枠用駆動源と、
上記第２の可動保持枠を駆動するためのものであって、上記第１の外壁に沿うように固定され、駆動部と該駆動部からの出力を受けて回転するシャフトとを有する第２の可動保持枠用駆動源と、
上記光軸面に略直交し、上記第１の外壁に隣接して形成された第２の外壁上であって、上記第１、第２の可動保持枠の移動軌跡に対向する位置に配され、上記第１、第２の可動保持枠の位置を検出するための検出手段と、
を具備することを特徴とするレンズ鏡筒。
【請求項７】  さらに、上記第１、第２の可動保持枠用駆動源に設けられた端子と、
上記検出手段に設けられた電気的な接続を取るための接続部と、
を具備し、上記検出手段の接続部は、上記枠部材の外面側に位置するように配されており、上記第１の外壁と第２の外壁の一部を覆うように配されたフレキシブルプリント基板に上記端子と上記検出手段の接続部とが接続されることを特徴とする請求項６に記載のレンズ鏡筒。
【請求項８】  さらに、開口部を開閉するためのシャッタ手段と、
上記シャッタ手段を駆動するためのシャッタ用駆動源と、
を具備し、上記シャッタ用駆動源は、上記フレキシブルプリント基板に接続されることを特徴とする請求項７に記載のレンズ鏡筒。
【請求項９】  上記シャッタ用駆動源は、上記第２の光軸に対して上記第１、第２の可動枠用駆動源が配される側に配されることを特徴とする請求項８に記載のレンズ鏡筒。
【手続補正２】
【補正対象書類名】明細書
【補正対象項目名】００１３
【補正方法】変更
【補正の内容】
【００１３】
【課題を解決するための手段】
本発明の請求項１記載のレンズ鏡筒は、第１の光軸に沿った被写体からの光束を第１の光軸に交差する第２の光軸に沿うように反射させる反射光学部材と、上記反射光学部材を保持する第１の保持枠と、上記第２の光軸に沿って配置される複数のレンズ群と、上記複数のレンズ群のうちのーつのレンズ群を保持する第２の保持枠と、上記第２の保持枠を上記第２の光軸に沿って移動可能に内包し、上記第１の保持枠が固定される枠部材と、上記第２の保持枠を駆動するための駆動源であって、上記第１の光軸と上記第２の光軸とにより形成される光軸面と略平行に形成された上記枠部材の第１の外壁に沿うように固定される駆動源と、上記光軸面に略直交し、上記第１の外壁に隣接して形成された上記枠部材の第２の外壁に配され、上記第２の保持枠の位置を検出するための検出手段と、を具備している。
【手続補正３】
【補正対象書類名】明細書
【補正対象項目名】００１４
【補正方法】変更
【補正の内容】
【００１４】
本発明の請求項２記載のレンズ鏡筒は、請求項１に記載のレンズ鏡筒において、さらに、上記駆動源に設けられた端子と、上記検出手段に設けられ電気的な接続を取るための接続部と、を具備し、上記検出手段の接続部は、上記枠部材の外面側に位置して配されており、上記第１の外壁と第２の外壁の一部を覆うように配されるフレキシブルプリント基板に対して上記端子と上記検出手段の接続部とが接続される。
【手続補正４】
【補正対象書類名】明細書
【補正対象項目名】００１５
【補正方法】変更
【補正の内容】
【００１５】
本発明の請求項３記載のレンズ鏡筒は、請求項２に記載のレンズ鏡筒において、さらに、開口部を開閉するためのシャッタ手段と、上記シャッタ手段を駆動するためのシャッタ用駆動源と、を具備し、上記シャッタ用駆動源は、上記フレキシブルプリント基板に接続される。
【手続補正５】
【補正対象書類名】明細書
【補正対象項目名】００１６
【補正方法】変更
【補正の内容】
【００１６】
本発明の請求項４記載のレンズ鏡筒は、請求項３に記載のレンズ鏡筒において、上記シャッタ用駆動源は、上記第２の光軸に対して上記駆動源が配される側に配される。
【手続補正６】
【補正対象書類名】明細書
【補正対象項目名】００１８
【補正方法】変更
【補正の内容】
【００１８】
本発明の請求項６記載のレンズ鏡筒は、略直方体形状に形成されたレンズ鏡筒であって、上記レンズ鏡筒の厚み方向である第１の光軸に沿って入射した被写体光を上記第１の光軸に交差し、かつ、上記レンズ鏡筒の長手方向に沿った第２の光軸に向けて反射する反射光学部材と、上記反射光学部材を保持する第１の保持枠と、上記第２の光軸に沿って配置される複数のレンズ群と、上記複数のレンズ群のうちの一つのレンズ群を保持する第１の可動保持枠と、上記複数のレンズ群のうちの他の一つのレンズ群を保持する第２の可動保持枠と、略直方体形状に形成され、上記第１、第２の可動保持枠を上記第２の光軸に沿ってそれぞれ移動可能に内包する枠部材と、上記第１の可動保持枠を駆動するためのものであって、上記第１の光軸と第２の光軸とにより形成される光軸面と略平行に形成された上記枠部材の第１の外壁に沿うように固定され、駆動部と該駆動部からの出力を受けて回転するシャフトとを有する第１の可動保持枠用駆動源と、上記第２の可動保持枠を駆動するためのものであって、上記第１の外壁に沿うように固定され、駆動部と該駆動部からの出力を受けて回転するシャフトとを有する第２の可動保持枠用駆動源と、上記光軸面に略直交し、上記第１の外壁に隣接して形成された第２の外壁上であって、上記第１、第２の可動保持枠の移動軌跡に対向する位置に配され、上記第１、第２の可動保持枠の位置を検出するための検出手段と、を具備している。
【手続補正７】
【補正対象書類名】明細書
【補正対象項目名】００１９
【補正方法】変更
【補正の内容】
【００１９】
本発明の請求項７記載のレンズ鏡筒は、請求項６に記載のレンズ鏡筒において、さらに、上記第１、第２の可動保持枠用駆動源に設けられた端子と、上記検出手段に設けられた電気的な接続を取るための接続部と、を具備し、上記検出手段の接続部は、上記枠部材の外面側に位置するように配されており、上記第１の外壁と第２の外壁の一部を覆うように配されたフレキシブルプリント基板に上記端子と上記検出手段の接続部とが接続される。
【手続補正８】
【補正対象書類名】明細書
【補正対象項目名】００２０
【補正方法】変更
【補正の内容】
【００２０】
本発明の請求項８記載のレンズ鏡筒は、請求項７に記載のレンズ鏡筒において、 さらに、開口部を開閉するためのシャッタ手段と、上記シャッタ手段を駆動するためのシャッタ用駆動源と、を具備し、上記シャッタ用駆動源は、上記フレキシブルプリント基板に接続される。
【手続補正９】
【補正対象書類名】明細書
【補正対象項目名】００２１
【補正方法】変更
【補正の内容】
【００２１】
本発明の請求項９記載のレンズ鏡筒は、請求項８に記載のレンズ鏡筒において、上記シャッタ用駆動源は、上記第２の光軸に対して上記第１、第２の可動枠用駆動源が配される側に配される。
【手続補正１０】
【補正対象書類名】明細書
【補正対象項目名】００９３
【補正方法】変更
【補正の内容】
【００９３】
【発明の効果】
上述のように本発明の請求項１記載のレンズ鏡筒によると、上記駆動源を上記枠部材の第１の外壁に沿って固定し、さらに、上記検出手段をこの第１の外壁に隣接する第２の外壁に取り付けることで、レンズ鏡筒の薄型化が図れる。
【手続補正１１】
【補正対象書類名】明細書
【補正対象項目名】００９４
【補正方法】変更
【補正の内容】
【００９４】
本発明の請求項２記載のレンズ鏡筒によれば、請求項１記載のレンズ鏡筒の効果に加えて、さらに上記枠部材の隣接する第１、第２の外壁に駆動源および検出手段の端子が位置しているため、上記ＦＰＣを小さくすることができる。また、上記ＦＰＣが上記枠部材の外側に配されるため、レンズ鏡筒の作動を阻害することがなく、レンズ鏡筒の小型化も図ることができる。
【手続補正１２】
【補正対象書類名】明細書
【補正対象項目名】００９６
【補正方法】変更
【補正の内容】
【００９６】
本発明の請求項４記載のレンズ鏡筒によれば、請求項３記載のレンズ鏡筒の効果に加えて、さらに上記シャッタ用駆動源が上記駆動源側に配置されることからレンズ鏡筒の厚みを薄型化することが可能になる。
【手続補正１３】
【補正対象書類名】明細書
【補正対象項目名】００９７
【補正方法】変更
【補正の内容】
【００９７】
本発明の請求項５記載のレンズ鏡筒によれば、請求項１乃至４記載のレンズ鏡筒の効果に加えて、さらに上記枠部材の直方体形状の厚み方向の外壁である第１の外壁に上記駆動源を取り付けることで、レンズ鏡筒の薄型化を図ることができる。
【手続補正１４】
【補正対象書類名】明細書
【補正対象項目名】００９８
【補正方法】変更
【補正の内容】
【００９８】
本発明の請求項６記載のレンズ鏡筒によれば、上記枠部材の直方体形状の厚み方向の外壁である第１の外壁に上記第１、第２の可動保持枠用駆動源を取り付け、さらに、上記検出手段を上記第１の外壁に隣接する第２の外壁に取り付けることによってレンズ鏡筒の薄型化を可能にする。
【手続補正１５】
【補正対象書類名】明細書
【補正対象項目名】００９９
【補正方法】変更
【補正の内容】
【００９９】
本発明の請求項７記載のレンズ鏡筒によれば、請求項６記載のレンズ鏡筒の効果に加えて、さらに上記枠部材の第１、第２の外壁に第１、第２の可動保持枠用駆動源、検出手段の接続面が配置されているため、ＦＰＣを小さくまとめることができる。
【手続補正１６】
【補正対象書類名】明細書
【補正対象項目名】０１００
【補正方法】変更
【補正の内容】
【０１００】
本発明の請求項８記載のレンズ鏡筒によれば、請求項７記載のレンズ鏡筒の効果に加えて、さらにシャッタ用駆動源に上記ＦＰＣが接続されるので上記ＦＰＣがレンズ鏡筒内で移動することがなく、レンズ鏡筒の動作が阻害されるおそれがない。
【手続補正１７】
【補正対象書類名】明細書
【補正対象項目名】０１０１
【補正方法】変更
【補正の内容】
【０１０１】
本発明の請求項９記載のレンズ鏡筒によれば、請求項８記載のレンズ鏡筒の効果に加えて、さらに上記シャッタ用駆動源が、第１、第２の可動保持枠用駆動源側に配置されることから、レンズ鏡筒の小型化が可能になる。